(57)【要約】【課題】必要な機材の準備を行う手間と時間を短縮するとともに、歯科治療ユニット周りの作業空間を広くでき、複数の歯科治療ユニットを備える場合に、同じ機材の購入を抑えることが可能な歯科治療ユニットを提供する。【解決手段】歯科治療ユニットは固定ユニット１０と複数の可動ユニットを有しており、可動ユニットは、歯科診療別に必要な機材を搭載した可動テーブル、例えば、予防用テーブル１００、補綴用テーブル１１０、矯正用テーブル１２０、診断用テーブル１３０、歯内用テーブル１４０、外科用テーブル１５０などから構成される。そして、固定ユニット１０と着脱可能な接続部を介して固定ユニット１０から電気、水、エアーの少なくとも一つの供給を受ける。【選択図】図１
2015226678.tif 000002
【特許請求の範囲】
【請求項１】
固定ユニットと複数の可動ユニットを有する歯科治療ユニットであって、
前記可動ユニットは、歯科診療別に必要な機材を搭載した可動テーブルから構成されるとともに、前記固定ユニットと着脱可能な接続部を介して前記固定ユニットから電気、水、エアーの少なくとも一つの供給を受けることを特徴とする歯科治療ユニット。
【請求項２】
前記固定ユニットは歯科治療椅子、スピットンまたは給排水ボックスを有し、前記可動ユニットは、前記歯科治療椅子、前記スピットンまたは前記給排水ボックスに設けた接続部と接続されて、前記電気、水、エアーの少なくとも一つの供給を受けることを特徴とする請求項1に記載の歯科治療ユニット。
【請求項３】
前記可動ユニットは、前記歯科診療別に、予防用、補綴用、矯正用、診断用、歯内用、外科用のいずれか１つに必要な機材を搭載したことを特徴とする請求項１または２に歯科治療ユニット。
【発明の詳細な説明】
【技術分野】
【０００１】
本発明は、歯科治療ユニットに関し、詳しくは、歯科治療固定ユニットと、複数の歯科治療可動ユニットから構成される歯科治療ユニットに関する。
【背景技術】
【０００２】
図４は、従来の歯科治療ユニットの一例を示す全体構成図であり、歯科治療ユニット３０は、歯科治療椅子３１、ワークテーブル３２、スピットン３３、給排水ボックス３４、ドクタ（術者用）インスツルメントホルダ３５、アシスタントインスツルメントホルダ３６、一端が例えばワークテーブルの下面に着脱自在に装着されるインスツルメントホース３７、該インスツルメントホース３７の他端に着脱自在に装着されたハンドピース（インスツルメント）３８等から成り、インスツルメントホルダ３５には、歯科治療において使用する種々のハンドピース、例えば、エアータービン、マイクロエンジン、超音波スケーラ、マルチシリンジ等のインスツルメント３８が収納されており、周知のように、歯科治療に当り、患者は椅子３１に座り、背をバックレストにもたれさせ、頭を安頭台に固定して治療を受ける。
【０００３】
治療中、術者は治療椅子１を上下動，倒起動，傾斜動等させて、患者を治療しやすい姿勢にし、インスツルメントホルダ３５より歯科治療に必要な所望のインスツルメント３８を取り出し、例えば、エアータービンを取り出し、フットスイッチ４１によって、その回転数を制御しながら、歯牙の切削等の治療を行う。また、アシスタントインスツルメントホルダ３６には、インスツルメントホース３９の先端に、患者の口腔内に水及び／又はエアーを噴射して、当該患者の口腔内を洗浄するためのマルチシリンジや、口腔内の汚物や汚水を吸引排するためのバキューム管や排唾管等のインスツルメント４０が設けられており、歯科治療中、アシスタントは、これらアシスタント用インスツルメントホルダ３６に設けられたこれらインスツルメント４０を使用して、患者の口腔内を清掃する。また、ワークテーブル３２はアーム４２に取り付けられており、移動可能に構成されている。さらに、無影灯４３も移動可能に設けられている。
【０００４】
このように、従来から、歯科治療ユニットは、ドクタ用インスツルメントホルダを設けたテーブル本体をアームによって移動可能に設けたものが一般的に用いられている。また、特許文献１に開示されているように、テーブル本体をアームの先端に対して着脱自在に構成したものがある。
【先行技術文献】
【特許文献】
【０００５】
【特許文献１】特開２００９-２１９７１８号公報
【発明の概要】
【発明が解決しようとする課題】
【０００６】
ところで、歯科治療においては、診療毎に必要な機器・器具等の機材が異なることから、これらの機材を準備するために、アシスタントが院内を移動して必要な機材の準備を行っており、手間がかかっていた。また、機器・器具がテーブルに載りきらない場合は、載りきらない機材を置くテーブルを別途準備する必要があった。さらに、多くの機材を歯科治療ユニットに設けると、歯科治療ユニット周りの空間が狭くなり、術者の動作空間が狭くなるという問題があった。また、歯科用インスツルメントの中には、使用頻度の高いものと低いものとが混在しており、複数の歯科治療ユニットを設置した場合に、これらのインスツルメントを歯科治療ユニットごとに揃えるとコストがかかるという問題があった。そして、特許文献１に記載された歯科治療ユニットはこれらの問題を解決するものではない。
【０００７】
本発明は、このような実情に鑑みてなされたものであり、必要な機材の準備を行う手間と時間を短縮するとともに、歯科治療ユニット周りの作業空間を広くでき、複数の歯科治療ユニットを備える場合に、同じ機材の購入を抑えることが可能な歯科治療ユニットを提供することをその目的とする。
【課題を解決するための手段】
【０００８】
上記課題を解決するために、請求項１の発明は、固定ユニットと、複数の可動ユニットから構成される歯科治療ユニットであって、前記可動ユニットは、歯科診療別に必要な機材を搭載した可動テーブルから構成されるとともに、前記固定ユニットと着脱可能な接続部を介して前記固定ユニットから電気、水、エアーの少なくとも一つの供給を受けることを特徴とするものである。
【０００９】
請求項２の発明は、請求項１の発明において、前記固定ユニットは歯科治療椅子、スピットンまたは給排水ボックスを有し、前記可動ユニットは、前記歯科治療椅子、前記スピットンまたは給排水ボックスに設けた接続部に接続されて、前記電気、水、エアーの少なくとも一つの供給を受けることを特徴とするものである。
【００１０】
請求項３の発明は、請求項１または２の発明において、前記可動ユニットは、前記歯科診療別に、予防用、補綴用、矯正用、診断用、歯内用、外科用のいずれか１つに必要な機材を搭載したことを特徴とするものである。
【発明の効果】
【００１１】
本発明によれば、歯科治療別に必要な機材を搭載した可動テーブルによって、必要な機材の準備を行う手間と時間を短縮するとともに、歯科治療ユニット周りの作業空間を広くでき、複数の歯科治療ユニットを備える場合に、同じ機材の購入を抑えることができる。
【図面の簡単な説明】
【００１２】
【図１】本発明に係る歯科治療ユニットの一例を示す概念図である。
【図２】本発明に係る歯科治療ユニットの一例を示す図である。
【図３】本発明の歯科治療ユニットにおける固定ユニットと可動ユニットとの接続部を説明するための図である。
【図４】従来の歯科治療ユニットを示す図である。
【発明を実施するための形態】
【００１３】
以下、図面を参照しながら、本発明の歯科治療ユニットに係る好適な実施の形態について説明する。以下の説明において、異なる図面においても同じ符号を付した部材は同じものであるとして、その説明を省略する場合がある。
図１は、本発明の歯科治療ユニットの一例を示す概念図であり、図２は、本発明に係る歯科治療ユニットの一例を示す図である。
【００１４】
固定ユニット１０は、歯科治療椅子１１、スピットン１２、給排水ボックス１３、電源部１４、コンプレッサー１５、無影灯１６、接続部１７を有している。ここで、歯科治療椅子１１、スピットン１２、給排水ボックス１３、無影灯１７は、図４に示す従来の歯科治療ユニットと同様のものを用いることができる。そして、給排水ボックス１３は、補助ユニット２０あるいは可動ユニットを固定ユニット１０に接続した際に、水を供給したり汚水等を吸引したりする給排水のための装置を備えている。また、電源部１４は固定ユニット１０に必要な電力と、補助ユニット２０あるいは可動ユニットを固定ユニット１０に接続した際に、これらに必要な電力を供給するためのものである。さらに、コンプレッサー１５は補助ユニット２０あるいは可動ユニットを固定ユニット１０に接続した際に、エアーを供給するためのものである。
【００１５】
図１に示す例では、固定ユニット１０に対して、アシスタントが使用する補助ユニット２０が接続可能になっている。補助ユニット２０には、マルチシリンジ２１、バキューム管２２、接続部２３を有している。そして、補助ユニット２０の接続部２３を固定ユニットの補助ユニット用の接続部に接続した際に、固定ユニットから補助ユニットへ、電気、水、エアーが供給され、あるいは排水を吸引できるようになっている。固定ユニット１０の接続部１７は後述する可動ユニットの接続部と着脱可能に接続され、可動ユニットに対して、電気、水、エアーの少なくとも一つを供給するためのものであり、複数備えていてもよい。また、固定ユニット１０の接続部１７は、可動ユニットを接続した際に、可動ユニットの接続部につながるチューブが術者の邪魔にならないように、歯科治療椅子１１や給排水ボックス１３の下部に設けておくことが望ましい。
【００１６】
可動ユニットは、例えば、歯科診療別に、予防用、補綴用、矯正用、診断用、歯内用、外科用の可動テーブルとして、それぞれ予防用テーブル１００、補綴用テーブル１１０、矯正用テーブル１２０、診断用テーブル１３０、歯内用テーブル１４０、外科用テーブル１５０として構成され、それぞれ歯科治療別に必要な機材を搭載している。また、可動ユニットは、固定ユニット１０と着脱可能な接続部を介して固定ユニット１０から電気、水、エアーの少なくとも一つの供給を受けるように構成されているとともに、院内を自由に移動させることができるようにキャスターを備えている。
【００１７】
以下、各可動ユニットを構成する各可動テーブルについて説明する。なお、各可動テーブルにおいて、同じ名称の機材については符号が異なっていても同じ機材であるので、その説明を省略することがある。特に、各可動テーブルの接続部は、固定ユニットの接続部１７と接続可能なようにそれぞれ同じ構成となっている。また、各可動テーブルと固定ユニット１０との間の制御信号やデータの送受信は、原則、図示しない無線によって行われる。
【００１８】
予防用テーブル１００はう蝕や歯周病予防のために用いられ、口腔内カメラ１０１、超音波治療器１０２、プラークチェッカー１０３、歯面清掃機１０４などの機材と、接続部１０５を備えている。口腔内カメラ１０１は、ハンドピースの先端部にＣＣＤあるいはＣＭＯＳのイメージセンサと光源を設けたものであり、イメージセンサにより撮像した口腔内の画像を図示しない表示部に表示している。表示部は、液晶表示装置などから構成され、固定ユニット１０側あるいは予防用テーブル１００側のいずれに設けられていてもよい。
【００１９】
超音波治療器（超音波スケーラ）１０２は、超音波振動子を内蔵する超音波ハンドピースと、該超音波ハンドピースに着脱自在に装着される超音波チップとを有し、ここでは歯石除去等に用いられる。プラークチェッカー１０３は歯垢染色剤であり、歯ブラシ後のプラークを可視化するためのものである。歯面清掃器１０４は、ハンドピースの先端からパウダーとエアーをミックスさせて噴射させ、パウダーを歯面に当てることにより、プラーク，ヤニ，歯石等を除去するようにしたものである。
【００２０】
そして、術者がう蝕や歯周病予防のための診療を行う際は、図３で示すように、予防用テーブル１００の接続部１０５を固定ユニット１０の接続部１７に接続し、固定ユニット１０から予防用テーブル１００に電気、水、エアーを供給するようになっている。なお、予防用テーブル１００と固定ユニット１０間の水やエアー供給のための制御用の信号や画像データの送受信は、固定ユニット１０の接続部１７と予防用テーブルの接続部１０５とを介して行うようにしてもよいが、接続部の構成が複雑になるため、無線通信で行う方が望ましい。
【００２１】
補綴用テーブル１１０は、歯の欠損を補うための義歯・金属冠などの人工物を調製する際に用いられ、技工用モータ１１１、集塵器ブロア１１２、光重合器１１３、シェード測定器１１４などの機材と、接続部１１５を備えている。技工用モータ１１４は義歯や金属冠の切削加工等に用いられるマイクロエンジンハンドピースであり、周知のように、モータを内蔵し、このモータの回転をハンドピース先端部のチャック機構に着脱自在に設けられた切削具に伝達し、この切削具にて義歯や金属冠の切削加工等を行うものである。なお、ハンドピースの駆動を制御するためのコントローラは、補綴用テーブル１１０あるいは固定ユニット１０に設けておくことができる。
【００２２】
集塵器ブロア１１２は、電気掃除機と同様の機能を有し、義歯等の切削を行う際に生じる切削粉等の粉塵を吸引するためのものであり、吸引用のモータや集塵ボックスは補綴用テーブル１１０に設けられる。光重合器１１３は、破損した歯牙の破損部に光硬化樹脂からなるレジンを接着し、このレジンに光を照射して硬化させるためのものであり、発光素子と光ガイドを有するハンドピースである。シェード測定器１１４は、歯の色調とともに歯の透明度や表面の状態などの外観を測定するためのものであり、義歯の製造おいてその色調を調整するために用いられる。例えば、連続的に種々のスペクトルの光を照射する光源と、反射光を受光する光センサと、光センサからの出力に応じてあらかじめ設定されたシェードに最も近いシェードを検索する手段を有している。
【００２３】
そして、術者が義歯・金属冠などの人工物を調製する際は、補綴用テーブル１１０の接続部１１５を固定ユニット１０の接続部１７に接続し、固定ユニット１０から補綴用テーブル１１０に電気、水、エアーを介して供給するようになっている。なお、補綴用テーブル１１０と固定ユニット１０間の水やエアー供給のための制御用の信号の送受信は、固定ユニット１０の接続部１７と予防用テーブルの接続部１１５とを介して行うようにしてもよいが、接続部の構成が複雑になるため、無線通信で行う方が望ましい。
【００２４】
矯正用テーブル１２０は、良好でない歯並びや噛み合わせを矯正して、きちんと噛み合うようにきれいな歯ならびに治療する際に用いられ、口腔内カメラ１２１、光重合器１２２、咬合圧測定装置１２３、矯正装置１２４などの機材と、接続部１２５を備えている。口腔内カメラ１２１は、予備用テーブル１００の口腔内カメラ１０１と、また、光重合器１２２は補綴用テーブル１１０の光重合器１１３と同じであるので、その説明を省略する。
【００２５】
咬合圧測定器１２３は、例えば、Ｕ字状の薄板状センサを患者が噛むことにより、咬合接触位置や咬合接触力をリアルタイムに検知し、測定結果を図示しない表示部に表示可能な測定器である。表示部は、液晶表示装置などから構成され、固定ユニット１０側あるいは矯正用テーブル１２０側のいずれに設けられていてもよい。表示部を固定ユニット１０側に設けた場合は、他の機材の表示部との兼用が可能となる。矯正装置１２４は、歯並びを矯正するために使用するブラケットやワイヤーなど装置を歯に装着するために用いられる。接続部１２５は、予防用テーブル１００の接続部１０５、あるいは補綴用テーブル１１０の接続部１０５と同様であるので、その説明を省略する。
【００２６】
診断用テーブル１３０は、歯や口腔内の診断を行う際に用いられ、口腔内カメラ１３１、内視鏡１３２、根管長測定器１３３、う蝕診断器１３４、プラークチェッカー１３５などの機材と、接続部１３６を備えている。口腔内カメラ１３１は予防用テーブル１００の口腔内カメラ１０１と同じである。内視鏡１３２は、チップ先端にライトガイドとセンサーガイドを有し、口腔内のカラー画像を撮影する他、根管内や歯周ポケット内の観察を行うため歯科用の内視鏡である。センサーガイドを通して得られた画像は図示しない表示部に表示される。根管長測定器１３３は、根管長測定針を根管内に挿入し、その先端が根尖孔の位置に到達したことを電気的に検知し、その状態で、根管長測定針に挿通されたストッパの位置を歯冠に当接させ、その状態で根管長測定針を根管から引き出し、物差し等を用いて、根管長測定針の先端から前記ストッパまでの長さ（根管長）を計測する装置である。
【００２７】
う蝕診断器１３４は、レーザー光を歯に照射して、歯表面の光吸収度合いにより生ずる散乱光の強度差を測定することによって、歯表面に発生したう蝕部分を検出、可視化するための装置であり、レーザー光発生部と受光素子を有している。また、う蝕部分の可視化画像は図示しない表示部に表示される。プラークチェッカー１３５は、う蝕診断器１３３と同様に、歯に付着したプラークを検出、可視化するための装置である。接続部１３６については他のテーブルの接続部と同様である。う蝕診断機１３４あるいはプラークチェッカー１３５のための表示部は、固定ユニット１０側あるいは診断用テーブル１３０のいずれに設けてもよい。
【００２８】
歯内用テーブル１４０は、う蝕や歯周病などの治療を行う際に用いられ、口腔内カメラ１４１、エアータービン１４２、マイクロエンジン１４３、超音波治療器１４４、マルチシリンジ１４５などの機材と、接続部１４６を備えている。口腔内カメラ１４１、超音波治療器１４４、マルチシリンジ１４５、接続部１４６については、すでに説明したテーブルのものと同様である。
【００２９】
エアータービン１４２は、固定ユニット１０から供給されるエアー（圧搾空気）によって高速回転する切削用の回転切削機であり、マイクロエンジン１４３は、モータによって高速回転する切削用の回転切削機である。また、マルチシリンジ１４５は、固定ユニットから供給されたエアーや水を先端から噴射することのできる歯科用ハンドピースである。
【００３０】
外科用テーブル１５０は、抜歯、歯根端切除、インプラントなどの外科治療を行う際に用いられ、インプランター１５１、ピエゾサージェリー１５２、マルチシリンジ１５３、レーザー治療器１５４などの機材と、接続部１５５を備えている。マルチシリンジ１５３、接続部１５５は、すでに説明したテーブルのものと同様である。インプランター１５１は、インプラントを入れる際に用いられる切削機材であり、骨に穴をあけるために低速回転で熱の発生を抑えたエンジンである。
【００３１】
ピエゾサージェリー１５２は、超音波治療器の一種で金属ツールに微細振動を加え、歯や骨などの硬組織を切削するためのインスツルメントである。レーザー治療器１５４は、レーザー光照射手段を備えたインスツルメントであり、患部を切開，蒸散させる等の種々の治療を行うためのものである。また、エアー、水、スプレー等の噴射手段を備ることもできる。
【００３２】
以上、各可動ユニットの例について説明したが、各可動ユニットが備える機材は、上記以外のものであってもよい。また、可動ユニットへの電気は固定ユニット１０の接続部と着脱可能な接続部を介して供給する代わりに、通常の商用電源コンセントから供給するようにしてもよい。また、超音波治療器、歯面清掃機、技工用モータ、エアータービン、マイクロエンジン、インプランター、ピエゾサージェリー、マルチシリンジなどのインスツルメントについては、図示しないフットコントローラ（フットスイッチ）によって制御される。そして、フットコントローラを各可動ユニットに設けておくことも可能であるが、共通のフットコントローラを用いることが望ましく、フットコントローラからの制御信号は、近距離無線通信手段などを用いて固定ユニット１０あるいは各可動ユニットとの間で伝送することが望ましい。
【符号の説明】
【００３３】
１０…固定ユニット、１１，３１…歯科治療椅子、１２，３３…スピットン、１３，３４…給排水ボックス、１４…電源部、１５…コンプレッサー、１６…無影灯、１７，１０５，１１５，１２５，１３６，１４６，１５５…接続部、２０，２３…補助ユニット、２１，１４５…マルチシリンジ、２２…バキューム管、３０…歯科治療ユニット、３２…ワークテーブル、３５…ドクタ（術者用）インスツルメントホルダ、３６…アシスタントインスツルメントホルダ、３７，３９…インスツルメントホース、３８，４０…ハンドピース（インスツルメント）、４１…フットスイッチ、４２…アーム、４３…無影灯、１００…予防用テーブル、１０１，１２１，１３１，１４１…口腔内カメラ、１０２，１４４…超音波治療器、１０３…プラークチェッカー、１０４…歯面清掃機、１１０…補綴用テーブル、１１１…技工用モータ、１１２…集塵器ブロア、１１３，１２２…光重合器、１１４…シェード測定器、１２０…矯正用テーブル、１２３…咬合圧測定装置、１２４…矯正装置、１３０…診断用テーブル、１３２…内視鏡、１３３…根管長測定器、１３４…う蝕診断器、１３５…プラークチェッカー、１４０…歯内用テーブル、１４２…エアータービン，１４３…マイクロエンジン、１５０…外科用テーブル、１５１…インプランター、１５２…ピエゾサージェリー、１５３…マルチシリンジ、１５４…レーザー治療器。
【図１】
2015226678.tif 000003
【図２】
2015226678.tif 000004
【図３】
2015226678.tif 000005
【図４】
2015226678.tif 000006